(57)【要約】【課題】被取付設備（照明器具）の落下を防止する装置を提供する。【解決手段】「取付補助装置３００」は、設備取付補助部品１００と、被取付設備２００とを備える。設備取付補助部品１００は天井板の埋め込み穴に配置される。被取付設備２００は、被取付設備本体２１０と、被取付設備本体２１０に固定された取付板バネ２２０で構成される。被取付設備本体２１０は例えばダウンライトである。取付板バネ２２０はスリット２２１が形成されている。設備取付補助部品１００は、係止片１３０を備えている。被取付設備２００の設備取付補助部品１００への通常の取付状態では、係止片１３０の係止爪１３３の先端が、取付板バネ２２０のスリット２２１にわずかにはまる状態である。もし被取付設備２００が落下しようとすると、係止片１３０の係止爪１３３がスリット２２１のスリット端部２２２に引っ掛り、被取付設備２００の落下を防止できる。【選択図】図３
2014007082.tif 000002
【特許請求の範囲】
【請求項１】
板状の造営部材の下面から上面に貫通する貫通穴であって所定のサイズの設備装置を埋め込むために開けられた前記サイズに対応する貫通穴である埋め込み穴に、前記設備装置とサイズの異なる設備装置を取り付ける際に用いられる取付補助装置と、
前記設備装置とサイズの異なる前記設備装置であるサイズ違い設備装置と
を備えた取付補助装置において、
前記取付補助装置は、
前記造営部材の前記埋め込み穴を前記造営部材の下面側から覆う板状の補助側プレート部であって、前記造営部材の前記埋め込み穴よりも開口面積が小さく、かつ、前記造営部材の前記埋め込み穴と連通し、前記サイズ違い設備装置を埋め込むための補助側貫通穴が形成され、前記補助側貫通穴の周縁から前記造営部材の下面から上面に向かう方向である上方に起立する補助側起立部を有する補助側プレート部と、
前記補助側プレート部を前記造営部材に取り付ける補助側プレート取付部と、
前記補助側プレート部の前記補助側起立部の近傍に配置されて、前記サイズ違い設備装置の落下を防止する補助側落下防止部と
を備え、
前記サイズ違い設備装置は、
前記補助側プレート部の前記補助側貫通穴に埋め込まれる設備側本体部と、
前記設備側本体部が前記補助側プレート部の前記補助側貫通穴に埋め込まれた状態において前記補助側起立部の上方側の端部を押し圧することで前記補助側貫通穴に埋め込まれた前記設備側本体部を前記設備側本体部の自重に抗して支持する設備側支持部であって、前記補助側落下防止部と係合する設備側係合部が形成された設備側支持部と
を備え、
前記補助側落下防止部は、
前記設備側本体部が下方に移動したときに、前記設備側支持部の前記設備側係合部と係合することで、前記設備側本体部の下方への移動を止める補助側係合部を備えたことを特徴とする取付補助装置。
【請求項２】
前記設備側支持部は、
上方側が長手方向となる長手形状の板バネであり、前記設備側係合部が、前記長手方向に沿うと共に上方側の途中で終わるスリットであり、
前記補助側落下防止部は、
前記補助側係合部が、前記スリットに嵌る板状体であることを特徴とする請求項１記載の取付補助装置。
【請求項３】
前記補助側落下防止部の前記補助側係合部は、
上方側に凸となる凸形状をなし、前記設備側本体部が下方に移動したときに、前記凸形状が前記スリットの上方側の端部で前記板バネの下面側から上面側に貫通して前記板バネを前記端部で支持することで、前記設備側本体部の下方への移動を止めることを特徴とする請求項２記載の取付補助装置。
【請求項４】
前記設備装置は、
照明器具であることを特徴とする請求項１〜３のいずれかに記載の取付補助装置。
【発明の詳細な説明】
【技術分野】
【０００１】
この発明は、例えば天井板に形成された設備装置（例えば照明器具）の埋め込み穴に、この埋め込み穴に適合する照明器具よりもサイズの小さい照明器具を埋め込む際に使用される化粧枠（取付補助装置）の構造と、この化粧枠に埋め込まれる照明器具の取り付け構造に関する。
【背景技術】
【０００２】
既存のダウンライトを取り外して、このダウンライトより外形の小さい新しいダウンライトを取り付ける場合、例えば、特許文献１のような既存の天井埋め込み穴に対して小さい径のダウンライト取付用の補助部品が使用される。
【先行技術文献】
【特許文献】
【０００３】
【特許文献１】特開２０１０−２３８５８０号公報
【発明の概要】
【発明が解決しようとする課題】
【０００４】
しかしながら、特許文献１に記載の補助部品の構造では、被取付設備（照明器具）の天井への固定をバネの張力のみに頼っている。よって、例えば天井裏のケーブルの収まりが悪く、被取付設備（照明器具）の上部から圧力をかける形で収まった場合、上部からの圧力がバネの張力を越えた場合、被取付設備（照明器具）が落下する恐れがある。
【０００５】
この発明は、被取付設備（照明器具）の落下を防止する装置の提供を目的とする。
【課題を解決するための手段】
【０００６】
この発明の取付補助装置は、
板状の造営部材の下面から上面に貫通する貫通穴であって所定のサイズの設備装置を埋め込むために開けられた前記サイズに対応する貫通穴である埋め込み穴に、前記設備装置とサイズの異なる設備装置を取り付ける際に用いられる取付補助装置と、
前記設備装置とサイズの異なる前記設備装置であるサイズ違い設備装置と
を備えた取付補助装置において、
前記取付補助装置は、
前記造営部材の前記埋め込み穴を前記造営部材の下面側から覆う板状の補助側プレート部であって、前記造営部材の前記埋め込み穴よりも開口面積が小さく、かつ、前記造営部材の前記埋め込み穴と連通し、前記サイズ違い設備装置を埋め込むための補助側貫通穴が形成され、前記補助側貫通穴の周縁から前記造営部材の下面から上面に向かう方向である上方に起立する補助側起立部を有する補助側プレート部と、
前記補助側プレート部を前記造営部材に取り付ける補助側プレート取付部と、
前記補助側プレート部の前記補助側起立部の近傍に配置されて、前記サイズ違い設備装置の落下を防止する補助側落下防止部と
を備え、
前記サイズ違い設備装置は、
前記補助側プレート部の前記補助側貫通穴に埋め込まれる設備側本体部と、
前記設備側本体部が前記補助側プレート部の前記補助側貫通穴に埋め込まれた状態において前記補助側起立部の上方側の端部を押し圧することで前記補助側貫通穴に埋め込まれた前記設備側本体部を前記設備側本体部の自重に抗して支持する設備側支持部であって、前記補助側落下防止部と係合する設備側係合部が形成された設備側支持部と
を備え、
前記補助側落下防止部は、
前記設備側本体部が下方に移動したときに、前記設備側支持部の前記設備側係合部と係合することで、前記設備側本体部の下方への移動を止める補助側係合部を備えたことを特徴とする。
【発明の効果】
【０００７】
この発明によって、取付補助装置（化粧枠）に取り付けられた被取付設備（照明器具）の落下を防止する装置を提供することができる。
【図面の簡単な説明】
【０００８】
【図１】実施の形態１の設備取付補助部品１００を示す斜視図。
【図２】実施の形態１の被取付設備２００を示す斜視図。
【図３】実施の形態１の「取付補助装置３００」を示す斜視図。
【図４】実施の形態１の係止片１３０を示す斜視図。
【図５】実施の形態１の取付板バネ２２０を示す斜視図。
【図６】実施の形態１の被取付設備２００の通常の取付状態を示す詳細図。
【図７】実施の形態１の被取付設備２００を下方向に引張ったときに取付板バネ２２０係止片１３０に保持される状態を示す詳細図。
【図８】実施の形態１の取付板バネ２２０が起立部１１２の上方側の端部１１２−１を押し圧する状態を示す概略図。
【発明を実施するための形態】
【０００９】
実施の形態１．
図１は、本実施の形態１の設備取付補助部品１００の斜視図である。図２は、図１に示す設備取付補助部品１００に合致（適合）する形状の被取付設備２００の斜視図である。図３は、設備取付補助部品１００に、被取付設備２００を取付けた「取付補助装置３００」を示す斜視図である。図３に示すように、「取付補助装置３００」は、設備取付補助部品１００（取付補助装置）と、被取付設備２００（サイズ違い設備装置）とを合わせた構成である。設備取付補助部品１００とは、例えば化粧枠であり、被取付設備２００とは例えば化粧枠の穴に埋め込まれるダウンライトである。図４は、係止片１３０を示す斜視図である。図５は、取付板バネ２２０を示す斜視図である。図６は、被取付設備２００の通常の取付状態を示す詳細図である。図７は、被取付設備２００を下方向に引張ったときに取付板バネ２２０係止片１３０に保持される状態を示す詳細図である。図８は、取付板バネ２２０が起立部１１２の上方側の端部１１２−１を押し圧する状態を示す概略図である。
【００１０】
設備取付補助部品１００は、板状の造営部材（例えば図６に二点鎖線で示した天井板４００）の下面４０１から上面４０２に貫通し、「所定のサイズの設備装置」（図示していない）を埋め込むために開けられた前記サイズに対応する貫通穴である埋め込み穴４０３に、「所定のサイズの設備装置」とサイズの異なる被取付設備２００を取り付ける際に用いられる部品（装置）である。
【００１１】
被取付設備２００は、「所定のサイズの設備装置」とサイズの異なる設備装置である。例えば、「所定のサイズの設備装置」とは、φ２００の埋め込み穴４０３に適合するダウンライトであり、「サイズの異なる設備装置」とは、φ１５０の埋め込み穴４０３に適合するダウンライトである。被取付設備２００は図２に示すように、被取付設備本体２１０（設備側本体部）と、被取付設備本体２１０に固定された取付板バネ２２０（設備側支持部）とからなる。被取付設備本体２１０とは被取付設備２００のうち取付板バネ２２０以外の部分である。
【００１２】
（設備取付補助部品１００の構造）
図１に示すように、設備取付補助部品１００は以下の構成である。設備取付補助部品１００は、プレート１１０（補助側プレート部）、プレート取付部１２０（補助側プレート取付部）、係止片１３０（補助側落下防止部）を備える。
【００１３】
（プレート１１０）
プレート１１０は、図６に示すように、天井板４００（造営部材）の埋め込み穴４０３を造営部材の下面４０１側から覆う板状である。プレート１１０は、リング状をなして天井に形成される既存の埋め込み穴４０３の開口部分よりも外周が大きい。つまり、プレート１１０は、既存の埋め込み穴４０３の開口部分よりも外周が大きいその外周で天井板４００の埋め込み穴４０３を覆う。またプレート１１０には、天井板４００の埋め込み穴４０３よりも開口面積が小さく、かつ、天井板４００の埋め込み穴４０３と連通し、「サイズ違い被取付設備２００」を埋め込むための貫通穴１１１（補助側貫通穴、図１）が形成されている。プレート１１０は、貫通穴１１１の周縁から天井板４００の下面から上面に向かう方向である上方（図３）に起立する起立部１１２（補助側起立部）を有する。
【００１４】
（プレート取付部１２０）
図１に示すプレート取付部１２０はプレート１１０に固定され、プレート１１０を天井板４００に取り付ける機能を有する。プレート取付部１２０は、２本の柱１２１と、柱１２１にそれぞれ配置される取付バネ１２２と、２本の柱１２１の上部どうしを接合する天板１２３とを有する。取付バネ１２２は、図６に示すように、設備取付補助部品１００を天井板４００に固定する係止部材である。柱１２１には、スリット１２１−１が形成されている。取付バネ１２２は、図１のＡ、Ａ方向に圧縮されるとバネ作用で弾性変形し、その幅がスリット１２１−１の幅よりも小さくなり、スリット１２１−１をスライドさせることができる。取り付け時には、貫通穴１１１から手を入れて取付バネ１２２をＡ、Ａ方向に弾性変形させることで、スリット１２１−１に対する取付バネ１２２の位置を決めることができる。なお、通常の使用状態（図６）では、図２のＢ方向に天井板４００の上面４０２から反力を受けるが、この反力に抗して、位置決めされた位置に固定される。
【００１５】
（係止片１３０）
図４に示す係止片１３０（補助側落下防止部）は、図２、図３に示すように起立部１１２の近傍に配置されて、被取付設備２００の落下を防止する。図４に示すように、係止片１３０は、取付板バネ２２０のスリット２２１に嵌る板状体である。係止片１３０は、プレート１１０の上面１１０−１（図１）に対してほぼ垂直方向に立設するカギ状である。図１では係止片１３０は一つしか見えていないが、図２の２つの取付板バネ２２０に対応して２つある。図４のように、係止片１３０は、プレート１１０の起立部１１２に固定するための固定部１３１と、係止本体部１３２と、凸形状に形成された落下防止用の係止爪１３３（補助側係合部）からなる。図６の説明で後述するが、図２において取付板バネ２２０が被取付設備本体２１０の自重に抗しきれなくなって被取付設備本体２１０が下方に移動したときに、係止爪１３３が取付板バネ２２０に形成されているスリット２２１（設備側係合部）に嵌り、スリット端部２２２と干渉することで、被取付設備本体２１０の下方への移動を止める。
【００１６】
（被取付設備２００の構成）
図２に示す被取付設備２００は、被取付設備本体２１０と、Ｖ字状に折り曲げて形成され、弾性を有する取付板バネ２２０とから構成される。取付板バネ２２０は被取付設備本体２１０に固定されている。被取付設備２００の特徴は、取付板バネ２２０に、係止片１３０の係止爪１３３と係合するスリット２２１が形成されていることである。図３のように、被取付設備本体２１０は、プレート１１０の貫通穴１１１に埋め込まれる。取付板バネ２２０は、図８に示す概略図のように、被取付設備本体２１０（例えばダウンライト）がプレート１１０の貫通穴１１１に埋め込まれた状態において、起立部１１２の上方側の端部１１２−１を斜め下方（押圧方向Ｙ）に押し圧することで、その反力により、貫通穴１１１に埋め込まれた被取付設備本体２１０を被取付設備本体２１０の自重に抗して支持している。図５は、取付板バネ２２０を示す図である。取付板バネ２２０は、図３に示すように、上方側が長手方向となる長手形状である。取付板バネ２２０には、係止片１３０の係止爪１３３と係合するスリット２２１（設備側係合部）が長手方向（上方側）に沿って形成されている。スリット２２１は、上方側の途中（スリット端部２２２）で終わる。スリット２２１は、図３、図５等に示すように、取付板バネ２２０は、プレート１１０の内枠（起立部１１２の内径側側面１１２−１、図１）に接する接触面２２０−１（図５）を有する。スリット２２１は係止片１３０（係止本体部１３２及び係止爪１３３）の幅に略合致（その幅よりもやや広い）する。
【００１７】
図６、図７は、落下防止構造が機能している状態を図示したものである。図６は通常の取付状態を示す。図７は、被取付設備２００を下方向に引張った状態（落下状態を模試）を示す。図６、図７では取付板バネ２２０は、見やすさのため、太線で示した。
【００１８】
（通常の取付状態）
図６の通常の取付状態は、設備取付補助部品１００が、天井に形成される既存の埋め込み穴４０３に取り付けられている状態である。また、この設備取付補助部品１００に、被取付設備２００が取り付けられている。
【００１９】
図６に示すように、設備取付補助部品１００に被取付設備２００が取り付けられている通常状態のときは、係止本体部１３２（係止爪１３３）の先端（角１３３−１（図４））がわずかにスリット２２１に嵌まり込んでいる。また、取付板バネ２２０の接触面２２０−１がプレート４の内枠（起立部１１２の内径側面１１２−２、図１）に接触している。
なお、取付板バネ２２０の上端部２２４の端に設けられた鍔部２２５には、切り欠き２２５−１（図５）が形成されている。設備取付補助部品１００に被取付設備２００が取り付けられる際は、この切り欠き２２５−１が係止本体部１３２の側部１３５（端面）に嵌ることで側部１３５（端面）にガイドされる。
【００２０】
次に、図６の通常状態から図７に示すように被取付設備２００を下方向へ引っ張ると（落下時を模試あるいは取り外し時）、プレート１１０の内径側面１１２−２に接触して弾性変形している取付板バネ２２０のスリット２２１が、カギ形状の係止片１３０（より具体的には係止爪１３３）に引っかかる。よって、被取付設備２００が保持される。したがって、被取付設備２００が設備取付補助部品１００から外れることがなく、被取付設備２００が落下する恐れがない。係止片１３０の係止爪１３３は、上方側に凸となる凸形状をなす。係止爪１３３は、取付板バネ２２０が被取付設備本体２１０の自重に抗しきれなくなって被取付設備本体２１０が下方に移動したときに、凸形状がスリット２２１の上方側のスリット端部２２２（図３、図５）で取付板バネ２２０の下面側２２０−２（図７）から上面側２２０−３に貫通して取付板バネ２２０をスリット端部２２２で支持する。この支持によって、被取付設備本体２１０の移動（落下）を止めることができる。
【００２１】
（被取付設備２００の取り外し）
図７の状態から、被取付設備２００を設備取付補助部品１００から外す場合は、被取付設備２００を少し持ち上げ（上方向へスライドさせ）て係止爪１３３とスリット２２１との引っ掛りを解除し、取付板バネ２２０を図７の位置Ｃ（取付板バネ２２０の折り返し部２２３の近傍）を矢印Ｃ方向に押さえつけながら下方に引っ張ると、係止片１３０の係止爪１３３の角１３３−１がスリット２２１からスリット端部２２２を超えてとスリット２２１の上端部２２４（図５）へ乗りかかり、被取付設備２００を設備取付補助部品１００から取り外すことができる。
【００２２】
以上の実施の形態１の「取付補助装置３００、」によれば、被取付設備２００（照明器具）を下に引き下ろした際、被取付設備２００を天井板４００に固定する取付板バネ２２０が、係止片１３０の係止爪１３３に引っかかるので、被取付設備２００の落下を防止できる。
【符号の説明】
【００２３】
１００  設備取付補助部品、１１０  プレート、１１１  貫通穴、１１２  起立部、１１３  端部、１２０  プレート取付部、１２１  柱、１２１−１  スリット、１２２  取付バネ、１２３  天板、１３０  係止片、１３１  固定部、１３２  係止本体部、１３３
係止爪、１３３−１  角、１３５  側部、２００  被取付設備、２１０  被取付設備本体、２２０  取付板バネ、２２１  スリット、２２２  スリット端部、２２３  折り返し部、２２４  上端部、２２５  鍔部、２２５−１  切り欠き、３００  取付補助装置、４００  天井板、４０１  下面、４０２  上面、４０３  埋め込み穴。
【図１】
2014007082.tif 000003
【図２】
2014007082.tif 000004
【図３】
2014007082.tif 000005
【図４】
2014007082.tif 000006
【図５】
2014007082.tif 000007
【図６】
2014007082.tif 000008
【図７】
2014007082.tif 000009
【図８】
2014007082.tif 000010